(57)【要約】【課題】  カメラを常時オン状態としても、カメラカバーに結露が生じることのないインターホンのカメラ子機を提供する。【解決手段】  カメラ４背部にカメラ４を常時動作させるための回路を組み付けたカメラ回路基板６を配置し、その更に背部に、カメラ回路基板６を水滴等から遮蔽するための遮蔽板１０をカメラ回路基板６を覆う様に設け、その遮蔽板１０の背面に調湿シート７を取り付けた。【選択図】  図１
2005136894.tif 000002
【特許請求の範囲】
【請求項１】
屋外に設置されて屋内側親機と通話するインターホンのカメラ子機であって、
筐体と、前記筐体の前面に露出して常時撮影動作するカメラと、前記筐体の前面に覆設されて前記カメラを保護するカメラカバーと、前記筐体に設置されて吸湿又は放湿する調湿シートと、を備えたことを特徴とするインターホンのカメラ子機。
【請求項２】
前記カメラの背部の筐体内には前記カメラを常時動作させるためのカメラ回路基板が前記カメラを覆うように配置されて成り、前記カメラ回路基板の更に背部に前記カメラ回路基板を水滴等から遮蔽するための遮蔽板を配設し、前記調湿シートを前記遮蔽板の背面に取り付けたことを特徴とする請求項１記載のインターホンのカメラ子機。
【請求項３】
前記筐体と前記カメラカバーとで形成される前記カメラの前面空間を仕切るためのリブを、前記筐体前面に対して垂直に設け、前記調湿シートを前記リブのカメラ側側面に取り付けたことを特徴とする請求項１記載のインターホンのカメラ子機。
【請求項４】
前記カメラカバーの内側となる前記筐体の前面には前記カメラの夜間撮影用の照明が設けられ、前記リブを、前記照明と前記カメラの間に配置したことを特徴とする請求項３記載のインターホンのカメラ子機。
【請求項５】
前記カメラカバーに、前記筐体内の発熱する電子部品或いは基板発熱部に熱伝導線で接続されて加熱される熱線を取り付けたことを特徴とする請求項１乃至４の何れかに記載のインターホンのカメラ子機。
【請求項６】
前記カメラカバーは内部に断熱空間を有した二重構造であることを特徴とする請求項１乃至５の何れかに記載のインターホンのカメラ子機。
【発明の詳細な説明】
【技術分野】
【０００１】
本発明は、玄関等に設置されるインターホンのカメラ子機に関し、詳しくはカメラ子機のカメラカバーに結露が発生して撮像映像が不鮮明になるのを防止する結露防止機能を備えたインターホンのカメラ子機に関する。
【背景技術】
【０００２】
来訪者を撮影するためのカメラを備えたインターホンの子機（以下、「インターホンのカメラ子機」と称する）は、呼出ボタンが押されて呼出操作が成されるとカメラが撮影を開始する。そして、所定時間経過したら、或いは親機からの応答が終了したら撮影を終了するよう構成されている（例えば、特許文献１参照）。
【特許文献１】特開２００１−２０３８１６号公報
【発明の開示】
【発明が解決しようとする課題】
【０００３】
カメラを備えた上記従来のインターホンのカメラ子機においては、呼出ボタンが操作されて初めてカメラは撮像動作を開始するので、カメラを動作させるための個々の電子部品或いはそれらを組み付けたカメラ回路基板が連続して発熱するようなことが無く、子機筐体の内部温度が大きく上昇するようなことがなかった。そのため、筐体の内外に温度差が発生しても僅かであり、外気温が急激に低下しても、カメラカバーが結露するようなことはなかった。
ところが、近年の防犯意識の高まりから、カメラ子機のカメラを常時撮像動作させる機能を備えたインターホンの要望がある。この要望を満たすためにカメラを常時オンとすると、カメラ撮影回路も当然常時動作状態にあるため、それを組み付けたカメラ回路基板の発熱により、カメラ子機の筐体内部温度が外気に比べて高温になる。
その結果、冬季等において発生し易い外気温の急激な低下があった場合、カメラ子機内部の暖められた空気の温度の急激な低下により、カメラカバー内側に結露が発生して、カメラの撮像映像が不鮮明になってしまう問題があった。
【０００４】
そこで、本発明はこの問題点に鑑み成されたもので、カメラを常時オン状態としても、カメラカバーに結露が生じることのないインターホンのカメラ子機を提供することを目的とする。
【課題を解決するための手段】
【０００５】
上記課題を解決するため、請求項１に記載の発明は、屋外に設置されて屋内側親機と通話するインターホンのカメラ子機であって、筐体と、前記筐体の前面に露出して常時撮影動作するカメラと、前記筐体の前面に覆設されて前記カメラを保護するカメラカバーと、前記筐体に設置されて吸湿又は放湿する調湿シートと、を備えたことを特徴とする。
この構成により、カメラ子機筐体全体の湿度調整ができ、カメラカバーの結露も防止できる。
【０００６】
請求項２の発明は、請求項１記載の発明において、カメラの背部の筐体内には前記カメラを常時動作させるためのカメラ回路基板が前記カメラを覆うように配置されて成り、前記カメラ回路基板の更に背部に前記カメラ回路基板を水滴等から遮蔽するための遮蔽板を配設し、前記調湿シートを前記遮蔽板の背面に取り付けたことを特徴とする。
この構成により、カメラ子機筐体全体の湿度調整ができ、カメラカバーの結露を防止できるし、遮蔽板により調湿シート或いは水滴等が回路基板に触れて回路動作が不安定になるようなことがない。
【０００７】
請求項３の発明は、請求項１記載の発明において、筐体と前記カメラカバーとで形成される前記カメラの前面空間を仕切るためのリブを、前記筐体前面に対して垂直に設け、前記調湿シートを前記リブのカメラ側側面に取り付けたことを特徴とする。
この構成により、調湿する空間が限定されるので、僅かな量の調湿シートで効果的にカメラカバーの結露を防ぐことができる。また、調湿シートを筐体前面に対して垂直に設けてカメラカバー外部からは目立ないようにしたので、美観が損なわれるようなことがない。
【０００８】
請求項４の発明は、請求項３記載の発明において、カメラカバーの内側となる前記筐体の前面には前記カメラの夜間撮影用の照明が設けられ、前記リブを、前記照明と前記カメラの間に配置したことを特徴とする。
この構成により、照明に対して別途漏光防止手段を設ける必要がない。
【０００９】
請求項５の発明は、請求項１乃至４の何れかに記載の発明において、カメラカバーに、前記筐体内の発熱する電子部品或いは基板発熱部に熱伝導線で接続されて加熱される熱線を取り付けたことを特徴とする。
この構成により、電子回路の発熱を利用してカメラカバー温度の急激な低下を防ぐので、更に確実に結露や曇りを防止できる。
【００１０】
請求項６の発明は、請求項１乃至５の何れかに記載の発明において、カメラカバーは内部に断熱空間を有した二重構造であることを特徴とする。
この構成により、カメラカバーの外側と内側とを断熱することができ、更に確実に結露や曇りを防止できる。
【発明の効果】
【００１１】
このように、筐体の適宜位置に調湿シートを取り付けたので、カメラを常時動作させてもカメラカバー内側に結露が生ずるようなことがない。
【発明を実施するための最良の形態】
【００１２】
以下、本発明を具体化した実施の形態を、図面に基づいて詳細に説明する。
（第１の実施形態）
図１は本発明に係るインターホンのカメラ子機の第１の実施形態を示し、（ａ）は正面図、（ｂ）はＡ−Ａ線断面図を示している。図１において、１はインターホンのカメラ子機の筐体としてのケース、２は住居人を呼び出すための呼出ボタン、３は透光性を有しカメラを保護するカメラカバー、４はカメラ、５は通話するためのスピーカ、６はカメラを常時撮像動作させるための回路を組み付けたカメラ回路基板であり、７は調湿シートを示している。
ケース１は、カメラ４，カメラ回路基板６やスピーカ５等を収容するケース本体１ａとケース本体１ａの背部を閉塞するための蓋体１ｂとから成り、ケース本体１ａにはカメラ４をケース１内から露出させる開口部１ｃが設けられ、この開口部１ｃはカメラ４のチルト動作等が可能なようにカメラ径に対して余裕を持たせて形成されている。また、８は取付台であり、ケース１は、この取付台８を介して屋外の壁面等に取り付けられる。
尚、ケース１内には、上記部品以外にマイク、呼び出し及び通話をするための回路が組み付けられた図示しないメイン回路基板等を有し、呼出ボタン２を押下することで、図示しない親機との間で通話が可能となっている。
【００１３】
カメラ回路基板６は、カメラ４の背部を覆うように、ケース上部にケース前面に対して略平行をなして配置され、調湿シート７はそのカメラ回路基板６の背部に遮蔽板１０を介して設置されている。遮蔽板１０は、カメラ回路基板６を調湿シート７が吸湿した水分から保護するために設けられたもので、カメラ回路基板６の背部を覆う縦板１０ａと下部を覆う横板１０ｂとで構成され、断面略Ｌ字状に配置されている。そして、調湿シート７は、この縦板１０ａの背面に接着されている。この調湿シート７は、吸湿・放湿性に優れた繊維を主成分とするシート体であり、例えばカネボウ株式会社製のベルサニー（登録商標）が使用される。
【００１４】
このように形成されたカメラ子機は、カメラ４を常時動作させることで、カメラ回路基板６に組み付けた一部電子部品の温度が上昇し、それに起因してケース１内の温度が上昇する。そして、この状態でケース１外部の気温が急に低下すると、それに伴いカメラカバー３やケース１の温度が低下し、カメラカバー３内側に結露が発生し易い状態となる。しかし、ケース内に設けた調湿シート７により、カメラカバー３内側を含めたケース１内全体の湿度の調整がなされ、カメラカバー３の内側に曇りや結露が発生することが無く、カメラ４は常に良好な撮像動作をすることができる。
このように、ケース内に設置された調湿シートにより、カメラカバーの結露や曇りを防止できるし、カメラ子機ケース内全体の湿度調整もできるので、メイン回路基板やカメラ回路基板等の内部回路部が結露するようなこともない。また、調湿シートは結露が発生し易いケースの上部に設置されるため、確実にカメラカバーの結露を防止できる。
更に、遮蔽板によりカメラ回路基板が調湿シートから遮蔽されているので、調湿シートが吸湿して水分を多く含んで水滴を発生してもカメラ回路基板が腐食したり回路動作が不安定になるようなことがない。   
【００１５】
（第２の実施形態）
図２は本発明に係るインターホンのカメラ子機の第２の実施形態を示し、カメラカバー及び調湿シート７を外した状態を示している。図２において、１２（１２ａ，１２ｂ）はケース本体１ａとカメラカバー３の間のカメラ前方空間を仕切る為に設けられた一対の部材（以下、「リブ」と称する）であり、調湿シート７はそのリブ１２の対向する側面に取り付けられる。尚、上記図１と同一の構成部材には同一の符号を付与し、説明を省略する。
【００１６】
リブ１２は、ケース１の前面にカメラ４を挟むようにカメラ４の左右に配置され、縦方向に平行をなしてケース本体１ａの前面に対して垂直に設けられている。リブ１２の前方先端部はカメラカバー３の曲面に合わせた曲線で形成され、カメラカバー３の装着により形成されるケース１前面とカメラカバー３の間のカメラ前方空間を仕切り、カメラ４前面の空間を縮小している。但し、リブ１２はカメラ４の撮影範囲に入らない位置に形成されている。また、一方のリブ１２ａによってカメラ４と分断された部分（図２中のリブ１２ａの左側近傍）は照明設置部１３であり、夜間でもカメラ撮影を可能とするための照明が配置されている。よって、一方のリブ１２ａは、この光がカメラ４側へ漏光しないように光を遮断する漏光防止部材としての機能も合わせて備えている。
そして、調湿シート７は、リブ１２と同一形状にカットされて双方のリブ１２の対向する面に接着されている。
【００１７】
このように、リブによりカメラ前面の空間を狭くして、調湿シートをその区切った空間内に取り付けたので、カメラカバーの結露を防止して良好な撮影動作を可能とする為には、調湿シートは少なくとも区切られたカメラ前面空間の結露を防ぐ能力を備えていれば良く、ケース全体の湿度を調整可能な大きさを備える必要が無くなり、必要な調湿シートの量を大きく削減できる。
また、調湿シートをカメラカバー内の前方から見える部位に取り付けても、ケース前面に対して垂直に設けたリブの側面に取り付けたので、カメラカバー外部からは目立たず美観が損なわれるようなことがない。更に、一方のリブは漏光防止部材を兼ねるので照明の光に対して別途漏光防止手段を設ける必要がない。
【００１８】
（第３の実施形態）
図３は本発明に係るインターホンのカメラ子機の第３の実施形態を示し、（ａ）は正面図、（ｂ）はＢ−Ｂ線断面図である。図３において、１５はカメラカバー３に貼着された熱線、１５ａはカメラ回路基板６又はメイン基板上の発熱部分に熱線１５を接続する熱伝導線としての金属線である。尚、上記図１と同様の構成要素には同一の符号を付与して説明を省略する。
熱線１５は、四角形枠状に形成した金属線から成り、カメラ４の撮像範囲を囲むようにカメラカバー３内側に貼り付けられている。そして、その上下端部がカメラ回路基板６又はメイン基板上の発熱部分に金属線１５ａで接続されている。また、ケース本体１ａとカメラカバー３の間には、図２に示すような調湿シート７を取り付けたリブ１２が設けられている。尚、この実施形態において、調湿シート７は、図１に示すようにカメラ回路基板６の背部に遮蔽板１０を介して設置されていても良い。
【００１９】
このように、カメラカバーに熱線を取り付けて、回路の発熱部分の熱を利用してカメラカバーを加熱させることで、ケース外部の気温の急激な低下に対してカメラカバー温度の急激な低下を防止できるので、カメラカバーに結露や曇りが発生し難くなる。そのため、結露の発生を更に確実に防止できるし、調湿シートの更なる削減も可能となる。
【００２０】
尚、熱線１５の熱源として、カメラ回路基板６やメイン基板の発熱を利用しているが、他に常時発熱する電子部品があれば、その熱を利用しても良い。また、この実施形態では、ケース前面に形成したリブに調湿シート７を取り付けた形態に熱線１５を追加しているが、当然ケース内に調湿シートを取り付けた形態に対して熱線を加えても良い。逆に、調湿シートを設けず、熱線１５だけでもカメラカバー３の結露防止に効果的である。
また、カメラカバー３は、図４のインターホン子機の縦断面説明図に示すように、２つの透光性部材から成る第１カバー３ａと第２カバー３ｂを間隔を空けて重ね合わせて形成し、断熱空間を有する二重構造としたものを用いても良く、カメラカバー３の外側と内側とを断熱できるので、調湿シート７と合わせて更に確実に結露や曇りを防止できる。
【図面の簡単な説明】
【００２１】
【図１】本発明の第１の実施形態を示し、（ａ）はカメラ付インターホン子機の正面図、（ｂ）はＡ−Ａ線断面図である。
【図２】本発明の第２の実施形態を示し、カメラカバーを外した状態のカメラ付インターホン子機の斜視図である。
【図３】本発明の第３の実施形態を示し、（ａ）はカメラ付インターホン子機の正面図、（ｂ）はＢ−Ｂ線断面図である。
【図４】本発明の他の形態を示す縦断面説明図である。
【符号の説明】
【００２２】
１・・ケース、１ａ・・ケース本体、１ｂ・・蓋体、１ｃ・・開口部、２・・呼出ボタン、３・・カメラカバー、３ａ・・第１カバー、３ｂ・・第２カバー、４・・カメラ、４・・スピーカ、６・・カメラ回路基板、７・・調湿シート、１０・・遮蔽板、１２・・リブ、１５・・熱線、１５ａ・・金属線。
【図１】
2005136894.tif 000003
【図２】
2005136894.tif 000004
【図３】
2005136894.tif 000005
【図４】
2005136894.tif 000006